(57)【要約】 【課題】本発明は、簡易な作業且つ低コストで電柱の建て替え工事を補助する電柱建替補助具及び電柱建替方法を提供することを課題とする。【解決手段】本発明電柱建替補助具１は、本体２と、建て替え対象の電柱を挟む二本の電柱に架設されたメッセンジャーワイヤーに取り付けられるメッセンジャーワイヤー用クランプ４と、その下方に、建て替え対象の電柱に架設されている電線を保持する碍子５ａ，５ｂ，５ｃとが設けられていることを特徴とする。【選択図】図１
2007195357.tif 000002
【特許請求の範囲】
【請求項１】
電柱を元の位置に建て替えることを補助する補助具であって、
本体と、
前記本体に設けられ、建て替え対象の電柱を挟む二本の電柱に架設された架設部材に取り付けられる取付手段と、
前記本体に設けられ、前記建て替え対象の電柱に架設されている架線を保持する保持手段とを備えていることを特徴とする電柱建替補助具。
【請求項２】
前記架線には電線、及び通信線を含み、
前記保持手段は、
前記電線を保持する電線保持手段と、
前記通信線を保持する通信線保持手段とを更に有していることを特徴とする請求項１に記載の電柱建替補助具。
【請求項３】
前記本体は、
前記電線保持手段を取り付ける第一部材と、前記通信線取付手段を取り付ける第二部材とから構成され、前記第二部材は前記第一部材に対して取り外し可能であることを特徴とする請求項２に記載の電柱建替補助具。
【請求項４】
前記本体は、当該本体に交差して配された第三部材を更に有し、前記第三部材には前記保持手段が設けられていることを特徴とする請求項１〜３の何れかに記載の電柱建替補助具。
【請求項５】
請求項１〜４に記載の電柱建替補助具を利用して電柱を元の位置に建て替えることを補助する方法であって、
建て替え対象の電柱を挟む二本の電柱に架設部材を架設するステップと、
前記架設部材に前記取付手段を取り付けるステップと、
前記保持手段に前記建て替え対象の電柱に架設されている架線を保持させるステップと、
前記建て替え対象の電柱を取り除くステップとを含むことを特徴とする電柱建替方法。
【発明の詳細な説明】
【技術分野】
【０００１】
本発明は、電柱の建て替え工事を補助する技術に関する。
【背景技術】
【０００２】
電柱を建て替える際、元あった位置に建て替えることが希望される場合が少なくない。例えば、電柱を別の位置に設置すると、敷地の広さや形によって用途が制限されてしまう場合や、建物と干渉してしまう場合等は、既設位置に建て替えることが望まれる。
【０００３】
このような電柱建替工事は、まず、建て替え対象となる電柱の側に、別の電柱を仮の電柱として設置し、その仮の電柱に電線類を移した後、建て替え対象となる電柱を撤去し、その位置（元の位置）に新しい電柱を設置する。新しい電柱を設置した後には、仮の電柱に移した電線類を移し替え、その仮の電柱を撤去し、電柱の建て替え工事が完了する。
【発明の開示】
【発明が解決しようとする課題】
【０００４】
しかしながら、仮の電柱を建てる電柱の建て替え工法は、現場事情により仮の電柱を建てるスペースが無い場合等、適用できないこともあった。
【０００５】
さらに、仮の電柱を用いた工法では、新しい電柱と仮の電柱の二本分の電柱を建て替えるため、作業時間及びコストを要してしまっていた。
【０００６】
そこで、本発明は、簡易な作業且つ低コストで電柱の建て替え工事を補助する電柱建替補助具及び電柱建替方法を提供することを課題とする。
【課題を解決するための手段】
【０００７】
本発明は上記課題に鑑みてなされたものであり、すなわち本発明は電柱を元の位置に建て替えることを補助する補助具であって、本体と、本体に設けられ、建て替え対象の電柱を挟む二本の電柱に架設された架設部材に取り付けられる取付手段と、本体に設けられ、建て替え対象の電柱に架設されている架線を保持する保持手段とを備えていることを特徴とする。
【０００８】
架設部材としては、少なくとも二本の電柱の間に張り渡されたものであればよい。例えば、メッセンジャーワイヤーと呼ばれる鋼線や、棒状の部材を好適に用いることができる。
【０００９】
そして、取付手段は、このような架設部材に本体をぶら下げた状態にできるものであれば、架設部材に引っ掛けるタイプ、架設部材を挟むタイプ、架設部材に固定するタイプというようにどのような構造を有するものであってもよい。
【００１０】
また、保持手段についても、取付手段と同様に、引っ掛けるタイプや巻き付けるタイプ等、撤去してしまう電柱に架設された架線を一時的に保持できるものであればよい。
【００１１】
このような本発明の電柱建替補助具を用いて電柱を元の位置に建て替えるには、まず、建て替え対象の電柱を挟む二本の電柱に架設部材を架設する。次に、架設部材に取付手段を取り付け、架設部材に本体をぶら下げた状態にする。
【００１２】
そして、建て替え対象の電柱に架設されている架線を保持手段に保持させ、その電柱に
架設されていた架線を、本発明の電柱建替補助具に移動させることができる。
【００１３】
これにより、電柱の建て替えに伴う仮の電柱を建てる作業をしなくてもよいため、仮の電柱を建てる作業及びその分のコストを削減することができる。
【００１４】
また、仮の電柱を建てる作業を省略することにより、電柱の建て替え作業に伴う仮の電柱の設置に関する問題（設置スペースが無い、建物と干渉してしまう等）を解消することができる。
【００１５】
また、本発明に係る架線は電線、及び通信線を含み、保持手段は、電線を保持する電線保持手段と、通信線を保持する通信線保持手段とを更に有する構成としてもよい。尚、電線は送電線や配電線、通信線は光ケーブルやメタルケーブルとすることができる。
【００１６】
つまり、本発明の電柱建替補助具は、各種の電線だけでなく各種の通信線が架設された電柱を建て替える場合、電線も通信線も同じ電柱建替補助具に移動させることができる。
【００１７】
さらに、本発明に係る本体は、電線保持手段を取り付ける第一部材と、通信線取付手段を取り付ける第二部材とから構成され、その第二部材は第一部材に対して取り外し可能な構造としてもよい。そのため、第一部材と第二部材とはボルトとナットなどの固定具により連結される等して連結されていると好ましい。
【００１８】
このように、第一部材と第二部材とを取り外し可能とすることにより、本発明の電柱建替補助具は、電線のみの電柱及び電線と通信線が共架された電柱双方の建て替え工事に好適に用いることができる。
【００１９】
また、これに伴い、第二部材が不必要な場合は、第二部材を取り外すことができるため、補助具自体の軽量化を図ることができる。
【００２０】
さらに、本発明に係る本体は、その本体に交差して配された第三部材を更に有し、第三部材には保持手段が設けられた構成とすることもできる。好ましくは、第三部材は、本体に対して垂直に交差し、全体が十字型にとなるようにするとよい。十字型にすることにより、第三部材に設けられた保持手段に架線を保持させた際に、補助具自体のバランスを取りやすくすることができる。これにより、作業の安全性を向上させることに繋がる。
【発明の効果】
【００２１】
以上説明したように、本発明によれば、簡易な作業且つ低コストで電柱の建て替え工事を補助する電柱建替補助具及び電柱建替方法を提供することができる。
【発明を実施するための最良の形態】
【００２２】
以下、本実施形態における電柱建替補助具及びこの電柱建替補助具を用いた電柱の建て替え方法について図面を参照し詳説する。尚、本実施例の説明では、電柱に架設された架線として、電線と通信線がともにあり、建て替え対象の電柱が１本の場合について説明する。
【００２３】
本実施例の電柱建替補助具は、元の位置での電柱建替を補助するための道具である。因みに、建て替え対象の電柱（複数本でもよい）を挟む二本の電柱の間の距離が６０ｍ程度までであると、本実施例の電柱建替補助具をより好適に用いることができる。
【００２４】
図１に本実施例の電柱建替補助具１の正面図を示し、図２にその側面図を示す。本実施例の電柱建替補助具１は、柱状の本体２と、この本体２に対して垂直に配された腕金（第
三部材）３とを備えている。つまり、電柱建替補助具１は、全体の形状が十字架のような形状を成している。
【００２５】
そして、本体２には、建て替え対象の電柱を挟む二本の電柱に架設されたメッセンジャーワイヤー（架設部材）に取り付けられるメッセンジャーワイヤー用クランプ（取付手段）４と、その下方に、建て替え対象の電柱に架設されている電線（架線）を保持する碍子（保持手段（電線保持手段））とが設けられている。本実施例に係る碍子は、本体２の長手方向に所定の間隔（例えば３００ｍｍ）を空けて三つ５ａ，５ｂ，５ｃ並設されている。尚、本実施例は電線を保持する碍子が三つの場合で説明しているが、移動させる電線の数以上であればよく、三つに限定されるものではない。
【００２６】
本実施例のメッセンジャーワイヤー用クランプ４は、先端が逆Ｕ字型に形成されている。この逆Ｕ字型の部分にメッセンジャーワイヤーを引っ掛けるようにして取り付ける。尚、本実施例では、取付性を安定させるために、メッセンジャーワイヤーを取り付けた後、何らかによる下から上に向かう力により、メッセンジャーワイヤー用クランプ４の開口部分からメッセンジャーワイヤーが外れないようにボルトにより開口部分を締め付けておく。
【００２７】
また、碍子５ａ，５ｂ，５ｃは、既存の電柱に取り付けられているものと同じものであり、電線の保持及び絶縁を行う陶器製のものである。本実施例に係る碍子５ａ，５ｂ，５ｃは、本体２の側面側に設けられている。尚、本実施例では、電柱に取り付けられているものと同じ陶器製の碍子で説明しているが、同じ形状のものでなくともよく、また、陶器製でなく、例えば、ポリマー製の碍子であってもよい。
【００２８】
また、腕金３は、その中心を本体２とボルトによって固定されているが、一端を本体２に固定し、他端を腕金３に固定した二本の支持部材６ａ，６ｂによりさらに腕金３の取付強度を高められている。
【００２９】
また、この腕金３は、本体２と同様な柱状の部材であり、本体２を中心とした腕金３の両端にはピン碍子（保持手段（電線保持手段））７ａ，７ｂが設けられている。これらのピン碍子７ａ，７ｂも碍子５ａ〜５ｃと同様に電線を保持すると共に絶縁の役割を果たす。尚、腕金３は建て替え対象の電柱に架設されている電線の配列次第ではなくともよい。
【００３０】
また、本実施例の電柱建替補助具１は、本体２の下端に、通信線の保持を行うための通信線用クランプ（保持手段（通信線保持手段））８ａ〜８ｄを二つずつ取り付けた二本の通信線用腕金９ａ，９ｂが設けられている。
【００３１】
本実施例に係る通信線用腕金９ａ，９ｂは、本体２の下部に固定された、本体２とほぼ同じ形状の柱部材１０（第二部材）に対して垂直となるようにボルトでしっかり固定されている。つまり、共架用腕金９ａ，９ｂと腕金３とは平行に配されている。尚、柱部材１０と本体２とは、図１及び図２に示すように、板状のストラップ１１ａ，１１ｂを介して連結されている。その他にも、図３に示すように、プレート部材をコ字型に形成し、それを本体２及び柱部材１０の接合部分の両側から当接させボルトにて締め付けて連結する方法や、図４に示すように、本体２と柱部材１０とを互いに重ね合わせ直接ボルトで固定して連結する方法がある。
【００３２】
また、通信線用腕金９ａ，９ｂの先端と基端には、それぞれ二つずつ通信線用クランプ８ａ〜８ｄが設けられている。本実施例の通信線用クランプ８ａ〜８ｄは鍵状に形成されている。そのため、通信線もこの通信線用クランプ８ａ〜８ｄに引っ掛けるようにして保持される。尚、本実施例は、通信線用クランプ８ａ〜８ｄが通信線用腕金９ａ、９ｂに設
けられている場合について説明しているが、通信用クランプが柱体材１０に直接設けられた構造であってもよい。また、通信線用腕金が２本（９ａ，９ｂ）、通信線用クランプが４つ（９ａ，９ｂ）の場合について説明しているが、建て替え対象の電柱に架設されている通信線の本数、配列に応じ好適に変更できるようにしてもよい。
【００３３】
さらに、本体２には、建て替え対象の電柱からの引き込み線を保持するための保持金具（不図示）を固定するための穴が適当な箇所に設けられている。
また、柱部材１０の最下端には、貫通孔Ｐが設けられている。この貫通孔Ｐは、メッセンジャーワイヤー用クランプ４をメッセンジャーワイヤーに引っ掛けた際に、風等の影響で電柱建替補助具１全体が揺れ動いてしまうような場合に、メッセンジャーワイヤーと同様な鋼線を挿通する。そして、その鋼線を二本の電柱に架設することで、電柱建替補助具１の不要な動きを抑制することができる。
以上が本実施例の電柱建替補助具１の構成である。
【００３４】
次に、上述した電柱建替補助具１を利用した電柱の建て替え工事の作業手順について説明する。
【００３５】
まず、図５に示すように、建て替え対象の電柱Ａを挟む二本の電柱Ｂ，Ｃにメッセンジャーワイヤー１２を架設する。
【００３６】
次に、メッセンジャーワイヤー１２に図１、２に示すメッセンジャーワイヤー用クランプ４を引っ掛ける。すると、図５に示すように、電柱建替補助具１全体がメッセンジャーワイヤー１２にぶら下がった状態となる。
【００３７】
そして、建て替え対象の電柱Ａに架設されている電線１３ａ，１３ｂ，１３ｃを碍子５ａ，５ｂ，５ｃに、さらに電線１３ｄ，１３ｅをピン碍子７ａ，７ｂに移動し保持させる。なお、電線１３ａ〜１３ｅから分岐している引き込み線（不図示）があれば、あわせて移動させる。
【００３８】
さらに、建て替え対象の電柱Ａに架設されている通信線１４ａ，１４ｂ，１４ｃ，１４ｄを通信線用クランプ８ａ，８ｂ，８ｃ，８ｄに移動し保持させる。なお、電線の場合と同様に引き込み線があれば、あわせて移動させる。
これらにより、建て替え対象の電柱Ａに架設されていた電線及び通信線は、電柱建替補助具１に全て移動された状態となる。
【００３９】
次に、建て替え対象の電柱Ａを撤去し、新しい電柱（不図示）を、電柱Ａが設置されていた場所に設置する。新しい電柱を立設した後、電柱建替補助具１に移動してあった電線及び通信線ならびに引き込み線を、新しい電柱の所定の箇所に移す。そして、メッセンジャーワイヤー１２からメッセンジャーワイヤー用クランプ４（電柱建替補助具１）を取り外し、メッセンジャーワイヤを建て替え対象の電柱Ａを挟む二本の電柱から取り外し、電柱の建て替え作業が完了する。
【００４０】
以上のように、本実施例の電柱建替補助具１を利用することにより、新しい電柱を元建っていた電柱と同じ場所に設置することができると共に、仮の電柱を建てる作業をしなくてもよい。そのため、仮の電柱を建てる作業時間及びその分のコストを削減することができる。
【００４１】
また、仮の電柱を建てる作業を省略することにより、電柱の建て替え作業に伴う仮の電柱の設置に関する問題（仮の電柱を建てる設置スペースが無い、仮の電柱が建物と干渉してしまったり、通行の妨げになってしまったり等）を解消することができる。
【図面の簡単な説明】
【００４２】
【図１】本実施例の電柱建替補助具の正面図である。
【図２】本実施例の電柱建替補助具の側面図である。
【図３】本実施例に係る本体と柱部材との連結状態を示す図である。
【図４】本実施例に係る本体と柱部材との連結状態を示す図である。
【図５】本実施例の電柱建替補助具を使用した状態の図である
【符号の説明】
【００４３】
１  電柱建替補助具
２  本体
３  腕金
４  メッセンジャーワイヤー用クランプ（取付手段）
５ａ〜５ｃ  碍子（保持手段（電線保持手段））
６ａ，６ｂ  支持部材
７ａ，７ｂ  ピン碍子（保持手段（電線保持手段））
８ａ〜８ｄ  通信線用クランプ（保持手段（通信線保持手段））
９ａ，９ｂ  通信線用腕金
１０  柱部材
１１ａ，１１ｂ  ストラップ
１２  メッセンジャーワイヤー
１３ａ〜１３ｅ  電線（架線）
１４ａ〜１４ｄ  通信線（架線）
Ａ  建て替え対象の電柱
Ｂ，Ｃ  電柱
Ｐ  貫通孔
【図１】
2007195357.tif 000003
【図２】
2007195357.tif 000004
【図３】
2007195357.tif 000005
【図４】
2007195357.tif 000006
【図５】
2007195357.tif 000007